(57)【要約】【課題】保留変化演出の面白みを十分に活かし、遊技者の大当り獲得への期待感を高め、興趣の豊かな弾球遊技機を提供すること。【解決手段】特図の保留記憶の有無及び数量を示す保留標識の表示形態として、大当りとなるか否かの信頼度が異なる複数種類の保留表示形態を備え、且つ、表示中の保留標識の保留表示形態を信頼度の異なる保留表示形態に変更可能であり、変更した後に表示される保留標識の保留表示形態を決定する変更表示形態決定手段と、これにより決定された変更後に表示される保留標識の保留表示形態を、変更が行われる前に示唆可能な表示形態示唆手段と、を設けた。【選択図】        図２４
2017047200.tif 000002
【特許請求の範囲】
【請求項１】
遊技の進行を司る主制御装置と、該主制御装置からの通知をもとに遊技の演出を実行するサブ制御装置とを備えた弾球遊技機において、
前記主制御装置に、
始動口に遊技球が入球したことに起因して数値データを抽出する数値データ抽出手段と、
前記抽出された数値データを保留記憶として記憶する保留記憶手段と、
該保留記憶手段に記憶された前記数値データに基づいて大当りか否かの当否判定を行う当否判定手段と、
前記当否判定手段による当否判定が行われる前に前記保留記憶手段に記憶されている前記数値データの内容を確認する数値データ確認手段と、
前記当否判定手段による判定結果が大当りであれば大当り遊技を実行する大当り遊技実行手段と、を備え、
前記サブ制御装置に、
前記保留記憶手段に前記数値データが保留記憶されると、該保留記憶に対応する保留標識を表示する保留標識表示制御手段と、
前記保留標識の表示形態として、表示されたときの大当りとなるか否かの信頼度が異なる複数種類の表示形態を有し、且つ、表示中の前記保留標識の表示形態を前記信頼度の異なる表示形態に変更可能であり、変更した後に表示される前記保留標識の表示形態を、前記数値データ確認手段によって確認された結果に応じて決定する変更表示形態決定手段と、
前記変更表示形態決定手段により決定された変更後に表示される前記保留標識の表示形態を、変更が行われる前に示唆可能な表示形態示唆手段と、を備え、
前記表示形態示唆手段は、前記変更表示形態決定手段により決定された変更後に表示される前記保留標識の表示形態を特殊表示形態として示唆するようになし、
該特殊表示形態として、前記変更表示形態決定手段により決定された変更後に表示される前記保留標識の表示形態の要素を含む複数の前記保留標識の表示形態の要素を組み合わせてひとつの前記保留標識の表示形態としたことを特徴とする弾球遊技機。
【発明の詳細な説明】
【技術分野】
【０００１】
本発明は弾球遊技機、特に保留予告演出を実施する弾球遊技機に関する。
【背景技術】
【０００２】
従来の弾球遊技機（パチンコ機）は、始動口に遊技球が入球すると当否判定用の乱数（数値データ）が抽出され、該乱数に基づいて当否判定が実施され、判定結果が大当りであれば大入賞口が開放され賞球の獲得に有利な大当り遊技となる構成が主流である。
前記乱数は所定数を限度に保留記憶として記憶され、該記憶された順に大当りとなるか否かの前記当否判定が行われる。
大当りとなるか否かの判定結果は、特別図柄を変動後に確定表示することにより報知される。尚、特別図柄は遊技領域の隅に小さく表示されるだけであるので、遊技領域の中央に設けられた演出図柄表示装置にて特別図柄の擬似演出を行い、その擬似演出にて、遊技者に抽選結果に対しての期待感を与えている。
また前記演出図柄表示装置には、記憶された保留記憶の数と同数の保留表示（保留標識）を表示することで遊技者に分かりやすくしている。尚、保留表示を演出図柄表示装置の周辺に設けられたＬＥＤ表示で行うものもある。
【０００３】
また、この種の大当りとなるか否かの当否判定が行われる弾球遊技機では、前記乱数が抽出され記憶された直後の前記大当りとなるか否かの当否判定が行われる前に、記憶された乱数が特定の数値、例えば大当りと判定される数値、リーチと判定される数値等であるか否かを確認し（先読み判定）、確認結果に応じて通常とは異なる特別な保留表示を行うことで、遊技者に記憶された保留記憶の中に大当りとなる記憶があるかも知れないといった期待感を持たせる演出（保留予告演出）を行っている。
更に、前記特別な保留表示として複数種類の表示が設けられ、初めは期待度が高くない特別な保留表示を行い、所定のタイミングで、期待度が高くない特別な保留表示から期待度の高い特別な保留表示に変更させる演出（保留変化演出）を行うものもある（例えば特許文献１参照）。
【先行技術文献】
【特許文献】
【０００４】
【特許文献１】特開２００４−１８７７０２号公報
【発明の概要】
【発明が解決しようとする課題】
【０００５】
特許文献１に記載の弾球遊技機では、保留変化演出が行われるか否か、保留変化演出が行われた場合、どのような保留表示に変化するのかを遊技者は全く予測できず、単に保留変化演出が起こるのを待つだけで、この状況に遊技者が慣れてしまい、遊技者の期待感を高めるのに、保留変化演出の面白みを十分に活かしきれていないといった問題があった。
そこで本発明は前記事情に鑑み、新たな保留変化演出を実行させることにより、遊技者の大当り獲得への期待感を高め、興趣の豊かな弾球遊技機を提供することを課題としてなされたものである。
【課題を解決するための手段】
【０００６】
請求項１に記載の発明は、
遊技の進行を司る主制御装置と、該主制御装置からの通知をもとに遊技の演出を実行するサブ制御装置とを備えた弾球遊技機において、
前記主制御装置に、
始動口に遊技球が入球したことに起因して数値データを抽出する数値データ抽出手段と、
前記抽出された数値データを保留記憶として記憶する保留記憶手段と、
該保留記憶手段に記憶された前記数値データに基づいて大当りか否かの当否判定を行う当否判定手段と、
前記当否判定手段による当否判定が行われる前に前記保留記憶手段に記憶されている前記数値データの内容を確認する数値データ確認手段と、
前記当否判定手段による判定結果が大当りであれば大当り遊技を実行する大当り遊技実行手段と、を備え、
前記サブ制御装置に、
前記保留記憶手段に前記数値データが保留記憶されると、該保留記憶に対応する保留標識を表示する保留標識表示制御手段と、
前記保留標識の表示形態として、表示されたときの大当りとなるか否かの信頼度が異なる複数種類の表示形態を有し、且つ、表示中の前記保留標識の表示形態を前記信頼度の異なる表示形態に変更可能であり、変更した後に表示される前記保留標識の表示形態を、前記数値データ確認手段によって確認された結果に応じて決定する変更表示形態決定手段と、
前記変更表示形態決定手段により決定された変更後に表示される前記保留標識の表示形態を、変更が行われる前に示唆可能な表示形態示唆手段と、を備え、
前記表示形態示唆手段は、前記変更表示形態決定手段により決定された変更後に表示される前記保留標識の表示形態を特殊表示形態として示唆するようになし、
該特殊表示形態として、前記変更表示形態決定手段により決定された変更後に表示される前記保留標識の表示形態の要素を含む複数の前記保留標識の表示形態の要素を組み合わせてひとつの前記保留標識の表示形態としたことを特徴とする弾球遊技機。
【０００７】
尚、保留標識は、遊技者の注目度の高い演出図柄表示が表示される演出図柄表示装置にて表示することが望ましい。またこれに限らず、遊技機又は遊技盤の前面に設けられたＬＥＤ等の表示装置にて表示する構成でもよい。
主制御装置には、保留記憶が発生したこと、数値データ確認手段の確認結果をサブ制御装置に送信する送信手段を設けることが望ましい。また該送信手段は、確認結果と共に保留記憶数を示す信号（保留記憶が増加したことを示す信号）を送信する構成でもよい。
表示形態示唆手段による示唆は、特別な演出として実行するようにし、保留標識の表示形態の変更が行われる場合に、毎回、示唆する必要はなく、所定の確率で実行させることが望ましい。また前記示唆は保留標識の表示形態が変化しない場合でも所定の確率で実行する構成が望ましい。
【０００８】
この発明によれば、保留標識の表示形態が、大当りとなるか否かの信頼度が異なる表示形態に変更される前に、どのような表示形態に変更する可能性があるかを示唆する特別の演出が実行されるので、遊技者は特別の演出が行われた際に信頼度が異なる表示形態に変更されるのではないかと、前記示唆の演出が行われていないときよりも大きな期待感を抱くことになる。また、変化する可能性がある表示形態を把握することができるので、遊技者は、大小様々な期待感を抱くようになる。よって保留変化演出の面白みを十分に活かすことができ、遊技者の大当り獲得への期待感を高め、遊技の興趣を豊かにできる。
【０００９】
また、保留標識自体で変化する可能性がある表示形態を示唆するようにしたので、遊技者に保留標識の表示形態が変化すると判断させ、期待感をより高めることができる。
【図面の簡単な説明】
【００１０】
【図１】本発明を適用した弾球遊技機の正面図である。
【図２】前記弾球遊技機の遊技盤の正面図である。
【図３】前記弾球遊技機の背面図である。
【図４】前記弾球遊技機の電気ブロック図である。
【図５】前記弾球遊技機の主制御装置で実行されるメインルーチンの制御内容を示すフローチャートである。
【図６】前記主制御装置で実行される特図始動入賞確認処理の制御内容を示すフローチャートである。
【図７】前記主制御装置で実行される先読み判定処理の制御内容を示すフローチャートである。
【図８】前記主制御装置で実行される特図当否判定処理の制御内容を示す第一のフローチャートである。
【図９】前記特図当否判定処理の制御内容を示す第二のフローチャートである。
【図１０】前記特図当否判定処理の制御内容を示す第三のフローチャートである。
【図１１】前記特図当否判定処理の制御内容を示す第四のフローチャートである。
【図１２】前記主制御装置で実行される特別遊技処理の制御内容を示す第一のフローチャートである。
【図１３】前記特別遊技処理の制御内容を示す第二のフローチャートである。
【図１４】前記特別遊技処理の制御内容を示す第三のフローチャートである。
【図１５】前記特別遊技処理の制御内容を示す第四のフローチャートである。
【図１６】前記弾球遊技機のサブ制御装置で実行される保留標識表示処理の制御内容を示す第一のフローチャートである。
【図１７】前記保留標識表示処理の制御内容を示す第二のフローチャートである。
【図１８】前記サブ制御装置で実行される第一保留標識更新処理の制御内容を示す第一のフローチャートである。
【図１９】前記第一保留標識更新処理の制御内容を示す第二のフローチャートである。
【図２０】前記サブ制御装置で実行される第二保留標識更新処理の制御内容を示すフローチャートである。
【図２１】前記サブ制御装置で実行される第三保留標識更新処理の制御内容を示すフローチャートである。
【図２２】前記弾球遊技機で用いられる保留標識の表示形態に関する説明図である。
【図２３】前記弾球遊技機で用いられる保留標識の特殊表示形態に関する説明図である。
【図２４】前記弾球遊技機の演出図柄表示装置で実施される保留記憶の保留予告演出及び保留変化演出に関する表示演出の第一の表示態様を示す図である。
【図２５】前記保留予告演出及び保留変化演出に関する表示演出の第二の表示態様を示す図である。
【図２６】前記保留予告演出及び保留変化演出に関する表示演出の第三の表示態様を示す図である。
【図２７】前記弾球遊技機で用いられる保留標識の特殊示唆表示形態に関する説明図である。
【発明を実施するための形態】
【００１１】
本発明を適用した弾球遊技機たるパチンコ機１を説明する。図１に示すように、パチンコ機１は、縦長の固定外郭保持枠をなす外枠１０にて構成の各部を保持する構造としてある。外枠１０には、左側の上下の位置に設けたヒンジ１０１を介して、板ガラス１１０が嵌め込まれた前枠(ガラス枠)１１及び図略の内枠が開閉可能に設けてある。尚、これら前枠１１及び前記内枠はシリンダ錠１８により外枠１０に閉鎖ロックされ、シリンダ錠１８に所定の鍵を挿入し、鍵を時計回りに操作して前記内枠を開放するようになし、反時計まわりの操作により前枠１１を開放する。
前枠１１の板ガラス１１０の奥には前記内枠に保持された遊技盤２（図２）が設けてある。
【００１２】
前枠１１の上部の左右両側位置にはそれぞれスピーカ１１２が設置してあり、これらにより遊技音が出力され、遊技者の趣向性を向上させる。また前枠１１には遊技状態に応じて発光する枠側装飾ランプ１１３のほか、遊技の異常を報知するＬＥＤ類が設けてある。
【００１３】
前枠１１の下半部には上皿１２と下皿１３とが一体に形成してある。下皿１３の右側には発射ハンドル１４が設けてあり、該発射ハンドル１４を時計回りに操作することにより発射装置が作動して、上皿１２から供給された遊技球が遊技盤２に向けて発射される。また上皿１２には賞球が払い出される。
下皿１３は上皿１２から溢れた賞球を受ける構成で、球抜きレバーの操作により下皿１３に溜まった遊技球を遊技店に備えられた別箱(ドル箱)に移すことができる。
【００１４】
本パチンコ機１は所謂ＣＲ機であって、プリペイドカードの読み書きを行うプリペイドカードユニット（ＣＲユニット）ＣＲが隣接してある。パチンコ機１には上皿１２の右側に貸出ボタン１７１、精算ボタン１７２及び精算表示装置１７３が設けてある。また上皿１２の中央位置には遊技者が操作可能な演出ボタン１５と、その外周を囲むようにジョグダイヤル１６が設置されている。
【００１５】
図２に示すように、遊技盤２には外レール２０１と内レール２０２とによって囲まれた略円形の遊技領域２０が形成されている。遊技領域２０には図示しない多数の遊技釘が植設されている。
遊技領域２０の中央部にはセンターケース２００が装着されている。センターケース２００は中央に演出図柄表示装置２１（全体の図示は省略）のＬＣＤパネルが配設されている。またセンターケース２００には、周知のものと同様にワープ入口、ワープ樋、ステージなどが設けられている。
【００１６】
遊技領域２０のセンターケース２００の左横位置には、遊技球が通過可能であり、通過時に普通図柄（以下、単に普図という）の抽選が実行される普図作動ゲート２２が設けられている。
センターケース２００の中央直下位置には、常時、遊技球の入球が可能で、入球に起因して特別図柄（以下、特図という）の当否判定が実行される第一特図始動口２３が設けてある。更にその直下位置にはチューリップ式普通電動役物（以下、単に普電役物という）からなり、前記第一特図始動口２３と同様に、入球に起因して特図の当否判定が実行される特図の第二特図始動口２４が設置されている。尚、第二特図始動口２４は普電役物の開放時にのみ入球（入賞）可能である。普電役物は、普図の抽選で当りとなると所定の時間、所定の開放態様で開放する構成である。
【００１７】
第二特図始動口２４の直下位置には、特別電動役物の開閉板にて開閉可能に設けられ、大当り遊技に開放される大入賞口２５が設置されている。
【００１８】
センターケース２００の左側斜め下方位置で、第一特図始動口２３乃至大入賞口２５の左側位置には複数（４つ）の一般入賞口２７が配されている。また、大入賞口２５の直下の盤面最下部にはアウト口２０３が設けられている。
【００１９】
遊技盤２の右下端部には、外レール２０１の外部に、特図表示装置２８、特図保留数表示装置２８１、普図表示装置２９及び普図保留数表示装置２９１が設けられている。
【００２０】
図３は本パチンコ機１の裏面を示すもので、本パチンコ機１の裏面側には、前記遊技盤２を脱着可能に取付ける内枠３０が収納されている。内枠３０は、前記前枠１１と同様に、一方の側縁（図３の右側）の上下位置が前記外枠１０にヒンジ結合され開閉可能に設置されている。内枠３０には、遊技球流下通路が形成されており、上方(上流)から球タンク３１、タンクレール３２、払出ユニット３３が設けられ、払出ユニット３３の中には払出機構が設けられている。この構成により、遊技盤２の入賞口に遊技球が入賞すれば球タンク３１からタンクレール３２を介して所定個数の遊技球（賞球）が払出ユニット３３により払出球流下通路を通り前記上皿１２に払い出される。また、前記賞球を払い出す払出ユニット３３により前記貸出ボタン１７１の操作で払い出される貸球も払い出す構成としてある。
【００２１】
パチンコ機１の裏面側には、主制御装置４０、払出制御装置４１、サブ統合制御装置４２、演出図柄制御装置４３、発射制御装置４４、電源基板４５が設けられている。
主制御装置４０、サブ統合制御装置４２、演出図柄制御装置４３は遊技盤２に設けられ、払出制御装置４１、発射制御装置４４、電源基板４５は内枠３０に設けられている。図３では発射制御装置４４が描かれていないが、払出制御装置４１の下に設けてある。
【００２２】
また、球タンク３１の右側には、外部接続端子板３８が設けてあり、外部接続端子板３８により、遊技状態や遊技結果を示す信号が図示しないホールコンピュータへ送られる。尚、従来はホールコンピュータへ信号を送信するための外部接続端子板には、盤用(遊技盤側から出力される信号をホールコンピュータへ出力するための端子)と枠側（外枠１０、前枠１１、内枠３０から出力される信号をホールコンピュータへ出力するための端子）の２種類を用いているが、本実施形態では、ひとつの外部接続端子板３８を介して遊技状態や遊技結果を示す信号をホールコンピュータへ送信する。
【００２３】
図４は本パチンコ機１の電気的構成を示すもので、遊技進行等の制御を司る主制御装置４０を中心に、主制御装置４０からの通知をもとに遊技の演出等を実行するサブ制御装置として払出制御装置４１、サブ統合制御装置４２及び演出図柄制御装置４３を具備する構成である。主制御装置４０、払出制御装置４１、サブ統合制御装置４２及び演出図柄制御装置４３においては、何れもＣＰＵ、ＲＯＭ、ＲＡＭ、入力ポート、出力ポート等を備え、これら制御装置は何れもＣＰＵにより、２ｍｓ周期又は４ｍｓ周期の割り込み信号に起因してＲＯＭに搭載しているメインルーチン及びサブルーチンからなるプログラムが開始され、各種の制御が実行される。また、主制御装置４０には各種の乱数（数値データ）を抽出する乱数カウンタ等も備わっている。
発射制御装置４４にはＣＰＵ、ＲＯＭ、ＲＡＭ等が設けられていない。しかし、これに限るわけではなく、発射制御装置４４にＣＰＵ、ＲＯＭ、ＲＡＭ等を設けてもよい。
【００２４】
主制御装置４０は、裏配線中継端子板５３０及び外部接続端子板３８を介して遊技施設のホールコンピュータ５００と電気的に接続される。また主制御装置４０には、裏配線中継端子板５３０や遊技盤中継端子板５３１を介して、前枠（ガラス枠）及び内枠が閉鎖しているか否か検出するガラス枠開放ＳＷ（スイッチ）５０１、内枠開放ＳＷ５０２、第一特図始動口２３への入球を検出する第一特図始動口ＳＷ５０３、第二特図始動口２４への入球を検出する第二特図始動口ＳＷ５０４、普図作動ゲート２２への入球を検出する普図作動ＳＷ５０５、複数の一般入賞口２７への入球を検出する一般入賞口ＳＷ５０６、大入賞口２５への入球を検出するカウントＳＷ５０７等の検出信号が入力される。
【００２５】
また主制御装置４０は搭載しているプログラムに従って動作して、上述の検出信号などに基づいて遊技の進行に関わる各種のコマンドを生成し、払出制御装置４１や、演出中継端子板５３２を介してサブ統合制御装置４２、演出図柄制御装置４３へ向けてのコマンドの出力や、図柄表示装置中継端子板５３３を介して特図表示装置２８、特図保留数表示装置２８１、普図表示装置２９及び普図保留数表示装置２９１等の表示制御を行なう。
【００２６】
更に主制御装置４０は、遊技盤中継端子板５３１を介して、大入賞口ソレノイド５０８、普通電役ソレノイド５０９が接続されている。そして大入賞口ソレノイド５０８を制御して前記特電役物の開閉板を作動させて大入賞口２５を開放せしめる。また普通電役ソレノイド５０９を制御して前記普電役物を作動させて第二特図始動口２４を開閉作動せしめる。
主制御装置４０からの出力信号は試験信号端子にも出力される他、図柄変動や特図の大当り等の管理用の信号が外部接続端子板３８を経てホールコンピュータ５００に送られる。
【００２７】
主制御装置４０と払出制御装置４１とは双方向通信が可能である。
払出制御装置４１は、裏配線中継端子板５３０や払出中継端子板５３４を介して球タンクが空状態になったことを検出する球切れＳＷ５２０、遊技球が払い出されたことを検出する払出ＳＷ５２２、遊技球貯留皿が満杯状態になったことを検出する満杯ＳＷ５２３等の検出信号が入力される。また主制御装置４０から送られてくるコマンドに応じて払出モータ５２１を稼働させて遊技球を払い出させる。また、ＣＲユニット端子板５３５を介してＣＲユニットＣＲと電気的に接続され、貸出要求信号に応じて払出モータ５２１を稼働させて貸球を払い出させる。精算表示装置１７３を介して貸出ボタン１７１及び精算ボタン１７２による貸出要求、精算要求の操作信号がＣＲユニットＣＲに入力され、プリペイドカードの残高表示はＣＲユニットＣＲによって制御される。
【００２８】
発射制御装置４４は、発射を停止する発射停止ＳＷ５２４、発射ハンドル１４に遊技者が接触（操作）していることを検出するタッチＳＷ５２５等の検出信号が入力される。払出制御装置４１を介して主制御装置４０から送られてくるコマンド（タッチＳＷ５２５の信号や遊技状況を反映している）、発射ハンドル１４の回動信号及び発射停止ＳＷ５２４の信号に基づいて発射モータ５２６を制御して遊技球を発射及び停止させる。
【００２９】
サブ統合制御装置４２には、音量調節ＳＷを備え、また演出ボタン１５やジョグダイヤル１６の操作信号が入力される。
そしてサブ統合制御装置４２は、スピーカ１１２を駆動して音声を出力することや、各種ＬＥＤや各種ランプ１１３の点灯、消灯等を制御する。更に演出図柄制御装置４３へキャラクタなどを表示する演出や特図の擬似演出図柄の表示態様のコマンドを送信する。
【００３０】
演出図柄制御装置４３は、ＬＣＤパネルユニットや付属ユニットと共に演出図柄表示装置２１を構成している。演出図柄制御装置４３は、サブ統合制御装置４２から送られてくるコマンドに応じて演出図柄表示装置２１のＬＣＤパネルの表示を制御する。
【００３１】
次にパチンコ機１の作動を説明する。
本パチンコ機１は、普図作動ゲート２２の遊技球の通過に起因して普図の当否抽選を行い、普図表示装置２９の変動を開始する。前記抽選結果が当りであれば、普図表示装置２９に当選結果を確定表示して前記普電役物を開放する。これにより第二特図始動口２４への入球が可能（又は容易）となる。
第一特図始動口２３又は第二特図始動口２４への入賞があると、これに起因して乱数（数値データ）が抽出され、保留記憶される。そして記憶された古い保留記憶から順に前記乱数に基づく特図の当否判定を行い、特図表示装置２８及び演出図柄表示装置２１の図柄変動を開始する。
前記判定結果が大当りであれば、大当り図柄を決めて特図表示装置２８及び演出図柄表示装置２１に大当り図柄を確定表示される。この場合、演出図柄表示装置２１には特図に対応する擬似演出図柄（装飾図柄）が表示される。そして、大入賞口２５の所定の態様での開閉動作を１ラウンドとするラウンド遊技を複数ラウンドにわたり実施する大当り遊技（特別遊技）に移行可能である。特図の当否判定が実行されることのより当否判定の対象となった保留記憶は消化される。
【００３２】
そして、大当り遊技の終了後は、一定期間（所定数の特図の当否判定が行われるまでの期間）にわたり、遊技状態が、特図の当否判定で当る確率が高確率とされる確率変動（確変）遊技状態となり、また、これと同時に、普図の当否抽選での当選確率が確変すると共に、普図の当否抽選での当選時の普電役物による第二特図始動口２４の開放時間が延長され、さらに普図の変動時間が短縮される時短遊技状態となる。尚、確変及び時短遊技状態のどちらでもない遊技状態を、通常遊技状態と記載する。
【００３３】
また、本パチンコ機１では、大当りとなるか否かの当否判定が行われる前に、保留記憶の先読み判定が行われる。該先読み判定に関連して、演出図柄表示装置２１に表示される保留記憶の存在及び保留記憶数を示す保留標識として複数種類の表示形態が設けられており、各種類の保留標識の表示形態に応じて大当りとなるか否かの信頼度の異なる表示形態とされている。そして、各種類の保留標識を表示することで、対応する保留記憶により大当りとなる可能性の有無や、該可能性の大きさを示唆する保留予告演出が行われる。
また、この保留予告演出の一環として、一旦表示された保留標識（一次保留表示形態又は二次保留表示形態）を、他の種類の保留標識（二次保留表示形態又は最終保留表示形態）に変化させる保留変化演出が行われる。尚、この保留変化演出では最終保留表示形態の種類により、該保留記憶により大当りとなる可能性の有無や、該可能性の大きさが示唆される。
更に、前記保留変化演出が行われる際には、変化する可能性がある保留標識の表示形態を示唆する特殊表示形態を表示可能としている。
尚、言うまでも無く、保留予告演出や変化演出は、大当り抽選の結果を常に正確に予告するというものではなく、予告が外れる場合もあり、無論、保留予告演出や変化演出が行われていない保留記憶による大当り抽選で当ることもある。
【００３４】
以下、作動の詳細を主制御装置４０で実行されるプログラム処理に基づいて説明する。
図５は主制御装置４０で実行される「メインルーチン」のフローチャートを示し、「メインルーチン」は本処理（Ｓ１００〜Ｓ１１０，Ｓ１１５）と残余処理（Ｓ１１１）とで構成され、２ｍｓ又は４ｍｓ周期の割り込み信号に起因して開始され、最初に正常割り込みか否かを判断する（Ｓ１００）。この判断処理は、メモリとしてのＲＡＭの所定領域の値が所定値であるか否かを判断することにより行われ、ＣＰＵにより実行される処理が本処理に移行したとき、通常の処理を実行して良いのか否かを判断するためのものである。正常割り込みでない場合としては、電源投入時又はノイズ等によるＣＰＵの暴走等が考えられるが、ＣＰＵの暴走は近年の技術の向上によりほとんど無いものと考えて良いので、たいていが電源投入時である。電源投入時にはＲＡＭの所定領域の値が所定値と異なる値となっている。
ここで正常割り込みでないとの否定判断（Ｓ１００：ｎｏ）ならＳ１１５の処理において初期設定(例えば前記メモリの所定領域への所定値の書き込み、普図及び特図を初期図柄とする等のメモリの作業領域への各初期値の書き込み等）を実行する。前記正常割り込みか否かを判断するための数値は、この初期設定の一環としてＲＡＭに書き込まれる。
【００３５】
前記Ｓ１００の処理において正常割り込みとの肯定判断がなされると（Ｓ１００：ｙｅｓ）、Ｓ１０１の初期値乱数更新処理が実行される。この処理は、初期値乱数の値についてこの処理を実行する毎に「１」を加算するインクリメント処理であり、この処理実行前の初期値乱数の値に「１」を加算するが、この処理を実行する前の乱数が最大値としての例えば「２９９」のときには次回の処理で初めの値である「０」に戻り、「０」〜「２９９」までの３００個の整数を繰り返し昇順に作成する。
【００３６】
続くＳ１０２の大当り決定用乱数更新処理では、前記初期値乱数更新処理と同様に処理を実行する毎に「１」を加算するインクリメント処理であり、最大値としての例えば「２９９」のときは次回の処理で初めの値である「０」に戻り、「０」〜「２９９」までの３００個の整数を繰り返し昇順に作成する。尚、大当り決定用乱数の最初の値は、前記初期値乱数更新処理（Ｓ１０１）で設定（作成）された値となる。この値が１５０であったとすると、大当り決定用乱数は「１５０」「１５１」「１５２」・・・「２９９」「０」「１」・・・と更新されていく。
【００３７】
尚、大当り決定用乱数が一巡（３００回、更新されること）すると、そのときの前記初期値乱数の値を大当り決定用乱数の初期値にする。大当り決定用乱数は、その初期値から「１」を加算していく。そして、再び大当り決定用乱数が一巡すると、その時の初期値乱数の値を大当り決定用乱数の初期値にする動作を行なう。つまり、この一連の動作を繰り返し続けることになる。前記の例では大当り決定用乱数が「１４９」になると一巡であるから、「１４９」の次は前記初期値乱数の値となる。仮に初期値乱数の値が「８７」だったとすると、「１４９」「８７」「８８」・・・「２９９」「０」「１」・・・「８６」と変化していき、「８６」の次は新たな前記初期値乱数の値となる。
【００３８】
続くＳ１０３の大当り図柄決定用乱数更新処理は「０」〜「９」の１０個の整数を繰り返し作成するカウンタとして構成され、本処理毎に「１」を加算して最大値を超えると初めの値である「０」に戻る。
続くＳ１０４の当り決定用乱数更新処理は、「０」〜「９」の１０個の整数を繰り返し作成するカウンタとして構成され、本処理毎に「１」を加算して最大値を超えると初めの値である「０」に戻る。尚、当選することとなる値は、常に「７」である。この当り決定用乱数は普図の抽選に使用し、初期値乱数、大当り決定用乱数、リーチ判定用乱数は特図の抽選に使用し、大当り図柄決定用乱数、変動パターン決定用乱数は、普図の抽選・特図の抽選の双方に用いる。
【００３９】
Ｓ１０５のリーチ判定用乱数更新処理は、「０」〜「２２８」の２２９個の整数を繰り返し作成するカウンタとして構成され、本処理毎に「１」を加算して最大値を超えると初めの値である「０」に戻る。
Ｓ１０６の変動パターン決定用乱数更新処理は、「０」〜「１１９」の１２０個の整数を繰り返し作成するカウンタとして構成され、本処理毎に「１」を加算して最大値を超えると初めの値である「０」に戻る。
【００４０】
続くＳ１０７の入賞確認処理では、第一特図始動口２３、第二特図始動口２４の入球（入賞）確認、普図作動ゲート２２の遊技球の通過の確認、一般入賞口２７の入球（入賞）確認、及び主制御装置４０に接続された各スイッチ類の入力処理等が実行される。
【００４１】
次のＳ１０８の当否判定処理では、普図及び特図のそれぞれに対応した当否判定や、当否判定に付随する図柄変動や特別遊技処理などの処理を行なう。
続くＳ１０９の各出力処理では、遊技の進行に応じて主制御装置４０は、払出制御装置４１、サブ統合制御装置４２、演出図柄制御装置４３、発射制御装置４４、大入賞口ソレノイド５０８等に対して各々出力処理を実行する。即ち、前記入賞確認処理（Ｓ１０７）により遊技盤上の各入賞口に遊技球の入球があることが検知されたときには賞球としての遊技球を払い出すべく払出制御装置４１に賞球信号を送信する処理を、遊技状態に対応したサウンドデータをサブ統合制御装置４２に出力する処理を、パチンコ機に異常があるときにはエラー中であることを報知すべく演出図柄制御装置４３にエラー信号を出力する処理を各々実行する。
【００４２】
続くＳ１１０の不正監視処理は、一般入賞口２７に対する不正が行われていないか監視する処理であり、所定時間内における入賞口への遊技球の入球が予め決定された規定数よりも多いか否かを判断して、多かった場合には不正と判断され、その旨を報知する処理である。
【００４３】
本処理に続く前記残余処理は、Ｓ１１１の初期値乱数更新処理から構成されるが、前記Ｓ１０１と全く同じ処理である。この処理は無限ループを形成し、次の割り込みが実行されるまで時間の許される限り繰り返し実行される。前記Ｓ１００〜Ｓ１１１までの本処理を実行するのに必要とされる時間は、大当り処理を実行するか否か、特図の表示態様の相違等により割り込み毎に異なる。この結果、残余処理を実行する回数も割り込み毎に異なり、割り込み処理が１回実行されることにより初期値乱数に更新される値も一律ではなくなる。これにより、初期値乱数が大当り決定用乱数と同期する可能性は極めて小さくなる。大当り決定用乱数が一巡したときの、初期値乱数の値（０〜２９９の３００通り）が、同程度に発生するとすれば、同期する確率はわずか３００分の１である。また、前記当り決定用乱数更新処理（Ｓ１０４）も残余処理内において実行するよう構成しても良い。
【００４４】
次に、本発明に関わりの深い入賞確認処理（Ｓ１０７）、当否判定処理（Ｓ１０８）及び各出力処理（Ｓ１０９）の一部のサブルーチンについて説明する。
図６に示す「特図始動入賞確認処理」は、第一特図始動口２３、第二特図始動口２４に遊技球が入球したときに抽出される当否乱数等の種々の乱数（数値データ）を、保留記憶として主制御装置４０に記憶する。そして第一特図始動口２３、第二特図始動口２４への入球に起因する各種コマンドをサブ統合制御装置４２に送信する処理となる。本実施形態において、第一特図始動口２３への入球及び第二特図始動口２４への入球に起因して記憶可能な保留記憶数は４個である。
【００４５】
本「特図始動入賞確認処理」は、先ず、Ｓ２００の処理において前記第一特図始動口ＳＷ５０３により第一特図始動口２３への入球を検出したか否か、又は前記第二特図始動口ＳＷ５０４により第二特図始動口２４への入球を検出したか否かを判定する。入球が無ければ（Ｓ２００：ｎｏ）、リターンする。第一特図始動口２３又は第二特図始動口２４への入球が有れば（Ｓ２００：ｙｅｓ）、Ｓ２０１の処理において主制御装置４０に格納されている特図の保留記憶の数が満杯か否かを確認する。満杯であれば（Ｓ２０１：ｙｅｓ）、リターンする。
保留記憶が満杯でなければ（Ｓ２０１：ｎｏ）、Ｓ２０２の処理において特図の大当り決定用乱数、大当り図柄決定用乱数、リーチ判定用乱数、変動パターン決定用乱数等を抽出し、抽出された各種の乱数を特図の保留記憶として記憶し、保留記憶数を示す保留記憶カウンタに１を加算する。該Ｓ２０２の処理は特許請求の範囲に記載の「数値データ抽出手段」、「保留記憶手段」に相当する。
【００４６】
続くＳ２０３の処理において「先読み判定処理」を実行する。本処理は特許請求の範囲に記載の「数値データ確認手段」に相当する。
図７に示すように、「先読み判定処理」は、先ず、Ｓ２５０の処理において新たに記憶された保留記憶に係る大当り決定用乱数（数値データ）の数値（内容）が特定値（大当り抽選で当りとなる値）か否かを判定し、大当り決定用乱数の数値が前記特定値であれば（Ｓ２５０：ｙｅｓ）、Ｓ２５１の処理において新たに記憶された保留記憶に係る大当り決定用乱数の数値が前記特定値であることを示す「先読みコマンド１」を生成してサブ統合制御装置４２に送信し、リターンする。
【００４７】
前記Ｓ２５０の処理で前記大当り決定用乱数の数値が前記特定値でなければ（Ｓ２５０：ｎｏ）、Ｓ２５２の処理において新たに記憶された保留記憶に係るリーチ判定用乱数と変動パターン決定用乱数の数値が特定値（擬似演出でスーパーリーチとなる値）であるか否かを判定し、前記リーチ判定用乱数と変動パターン決定用乱数の数値が前記特定値であれば（Ｓ２５２：ｙｅｓ）、Ｓ２５３の処理において新たに記憶された保留記憶に係るリーチ判定用乱数と変動パターン決定用乱数の数値が前記特定値であることを示す「先読みコマンド２」を生成してサブ統合制御装置４２に送信し、リターンする。
【００４８】
前記Ｓ２５２の処理で前記リーチ判定用乱数と変動パターン決定用乱数の数値が前記特定値でなければ（Ｓ２５２：ｎｏ）、Ｓ２５４の処理において新たに記憶された保留記憶に係るリーチ判定用乱数と変動パターン決定用乱数の数値が特定値（擬似演出でノーマルリーチとなる値）であるか否かを判定し、前記リーチ判定用乱数と変動パターン決定用乱数の数値が前記特定値であれば（Ｓ２５４：ｙｅｓ）、Ｓ２５５の処理において新たに記憶された保留記憶に係るリーチ判定用乱数と変動パターン決定用乱数の数値が前記特定値であることを示す「先読みコマンド３」を生成してサブ統合制御装置４２に送信し、リターンする。
【００４９】
一方、前記Ｓ２５４の処理で否定判定であれば（Ｓ２５４：ｎｏ）、新たに記憶された保留記憶に係る大当り決定用乱数やリーチ判定用乱数や変動パターン決定用乱数が、前記特定値のうちのいずれでもないことを示す「先読みコマンド４」を生成してサブ統合制御装置４２に送信し、リターンする。
【００５０】
本パチンコ機１では、図２２（ａ）に示すように、特図の当否判定の結果において、「大当り」の出現率は３００分の１とされ、「スーパーリーチ」の出現率は３００分の５、「ノーマルリーチ」の出現率は３００分の１５、「ハズレ」の出現率は３００分の２７９とされている。
【００５１】
その後、前記図６の「特図始動入賞確認処理」のＳ２０４の処理において、加算された前記保留記憶カウンタの値を示す保留数指示コマンドをサブ統合制御装置４２に送信する。尚、この処理において、前記保留数指示コマンドと、前記「先読み判定処理」で生成された各「先読みコマンド１〜４」とを合わせてサブ統合制御装置４２に送る構成でもよい。
【００５２】
図８乃至図１１は「特図当否判定処理」のフローチャートを示し、この処理において特図の当否判定は個別に実行される。
図８に示すように「特図当否判定処理」は、先ず、Ｓ３００の処理において役物連続作動装置の作動を確認して大当り遊技中であるか否かを確認し、大当り遊技中でなければ（Ｓ３００：ｎｏ）、Ｓ３０１の処理において特図が変動中であるか否かを確認する。変動中でなければ（Ｓ３０１：ｎｏ）、Ｓ３０２の処理において特図の確定図柄が確定表示中であるか否かを確認する。尚、役物連続作動装置が作動中（Ｓ３００：ｙｅｓ）であれば「特別遊技処理」に移行する。
【００５３】
前記Ｓ３０２の処理で特図の確定図柄が表示中でなければ（Ｓ３０２：ｎｏ）、図９に示すように、Ｓ３１０の処理において特図の保留記憶があるか確認する。特図の保留記憶があれば（Ｓ３１０：ｙｅｓ）、Ｓ３１１の処理において保留記憶数を減算し、保留記憶のシフト処理を行う。該シフト処理により保留記憶のうちで最も古い保留記憶が当否判定の対象となる。
特図の保留記憶がなければ（Ｓ３１０：ｎｏ）、「特別遊技処理」に移行する。
【００５４】
次にＳ３１２の処理で、確変フラグを確認して現在の遊技状態が前記確変遊技状態であるか確認する（確変フラグが「１」であれば確変中）。確変中であれば（Ｓ３１２：ｙｅｓ）、Ｓ３１３の処理において確変時の当否判定用テーブルと前記当否判定の対象となる保留記憶の大当り決定用乱数とを対比して、所定の高確率に基づいて大当りか否か当否判定を行う。
確変中でなければ（Ｓ３１２：ｎｏ）、Ｓ３１４の処理において通常確率の当否判定用テーブルと前記大当り決定用乱数とを対比して大当りか否か当否判定を行う。
【００５５】
続くＳ３１５の処理では、前記Ｓ３１３又はＳ３１４の処理の当否判定が大当りか否かの確認を行う。該Ｓ３１５の処理は特許請求の範囲に記載の「当否判定手段」に相当する。
大当りであれば（Ｓ３１５：ｙｅｓ）、Ｓ３１６の処理において、前記当否判定の対象となる保留記憶の大当り図柄決定用乱数に基づいて大当り図柄を決定する。
続くＳ３１７の処理では、前記当否判定の対象となる保留記憶の変動パターン決定用乱数に基づいて、特図の大当り図柄の変動時間等といった変動パターンを決定する。
【００５６】
変動パターンの決定後、Ｓ３１８で大当り設定処理を行う。この処理では、前記決定された大当り図柄に基づき、例えば、大当り遊技終了後の確変遊技への移行や時短遊技への移行、演出図柄表示装置２１で実行される大当り遊技のオープニング演出の時間の設定、エンディング演出の時間等の設定がなされる。
【００５７】
前記Ｓ３１５の処理において、大当りでなくハズレであれば（Ｓ３１５：ｎｏ）、Ｓ３１９の処理において特図のハズレ図柄の変動時間等といった変動パターンを決定する。続くＳ３２０の処理においてハズレ設定処理を行う。
【００５８】
前記Ｓ３１８の処理又はＳ３２０の処理の後、Ｓ３２１の処理において当否判定後の保留記憶の情報（例えば当否判定実行後の保留記憶の減少を示す情報など）をサブ統合制御装置４２に送信する処理を行う。
続くＳ３２２の処理では、特図表示装置２８の図柄変動開始制御を行い、サブ統合制御装置４２へ図柄の変動開始コマンド、図柄指定コマンドを送信し、「特別遊技処理」へ移行する。尚、前記変動開始コマンド、図柄指定コマンドには特図の変動パターン、特図の当否判定の判定結果などが含まれる。
【００５９】
前記図８のＳ３０１の処理で特図の変動中のときは（Ｓ３０１：ｙｅｓ）、図１０に示すように、Ｓ３３０の処理において図柄の変動時間が経過したことを確認すると（Ｓ３３０：ｙｅｓ）、Ｓ３３１の確定図柄表示処理において、特図表示装置２８の特図の変動表示を終了させる制御を行う。その後、「特別遊技処理」へ移行する。
【００６０】
前記図８のＳ３０２の処理で特図の確定図柄を表示中であれば（Ｓ３０２：ｙｅｓ）、図１１のＳ３４０の処理に移行して、確定図柄表示時間が終了したか確認する。確定図柄表示時間が終了していなければ（Ｓ３４０：ｎｏ）、「特別遊技処理」へ移行する。
一方、確定図柄表示時間が終了したことを確認すると（Ｓ３４０：ｙｅｓ）、Ｓ３４１の確定図柄表示終了の処理により特図表示装置２８の特図の確定図柄表示を終了させる制御を行い、サブ統合制御装置４２へ特図に対応する擬似演出図柄の確定表示を終了させるようにコマンドを送信する。
【００６１】
続いてＳ３４２の処理において特図の図柄が大当りになる組合せであるか否かを確認し、大当りになる組合せであったときは（Ｓ３４２：ｙｅｓ）、Ｓ３４３の処理で確変フラグが「１」であれば（Ｓ３４３：ｙｅｓ）、Ｓ３４４の処理において確変フラグに「０」をセットする。次に、Ｓ３４５の処理で時短フラグが「１」であれば（Ｓ３４５：ｙｅｓ）、Ｓ３４６の処理で時短フラグに「０」をセットする。これらの処理により大当り遊技（特別遊技）中での確変及び時短に関する遊技状態を通常状態にリセットする。
【００６２】
続くＳ３４７の処理において条件装置の作動を開始させる。尚、条件装置は特図の当否判定が大当りとなり大当り図柄が確定表示されることにより作動して大当り遊技の開始条件を成立させるものであり、且つ、大当り遊技で役物連続作動装置の作動に必要な装置である。続く３４８の処理において役物連続作動装置の作動を開始するとともに、Ｓ３４９の処理において大当り開始演出処理を行ない、「特別遊技処理」へ移行する。
【００６３】
前記Ｓ３４２の処理で、大当りになる組合せでなければ（Ｓ３４２：ｎｏ）、Ｓ３５０の処理で確変フラグが「１」であるか確認し、確変フラグが「１」であれば（Ｓ３５０：ｙｅｓ）、Ｓ３５１の処理において確変の継続期間をカウントする確変カウンタを減算し、減算した後の確変カウンタが「０」であるか否かを確認する。確変カウンタが「０」であれば（Ｓ３５１：ｙｅｓ）、Ｓ３５２の処理において確変フラグを「０」にリセットする。
続くＳ３５３の処理で時短フラグが「１」であれば（Ｓ３５３：ｙｅｓ）、Ｓ３５４の
処理において時短の継続期間をカウントする時短カウンタを減算し、減算した後の時短カ
ウンタが「０」であるか否かを確認する。時短カウンタが「０」であれば（Ｓ３５４：ｙ
ｅｓ）、Ｓ３５５の処理において時短フラグを「０」にリセットする。
続くＳ３５６の状態指定コマンド送信処理では、遊技状態を示す確変フラグや時短フラグの情報等を含む状態指定コマンドを、サブ統合制御装置４２へ送信する。その後、「特別遊技処理」に移行する。
【００６４】
図１２に示す「特別遊技処理」は、特許請求の範囲に記載の大当り遊技実行手段に相当し、先ず、Ｓ４００の処理において前記役物連続作動装置が作動中か否かを確認し、作動中であれば（Ｓ４００：ｙｅｓ）、Ｓ４０１の処理で大入賞口２５が開放中か否かを確認する。役物連続作動装置が作動中でなければ（Ｓ４００：ｎｏ）、リターンする。
前記Ｓ４０１の処理で大入賞口２５が開放中でなければ（Ｓ４０１：ｎｏ）、Ｓ４０２の処理で大当り遊技のインターバル中か否かを確認し、インターバル中でなければ（Ｓ４０２：ｎｏ）、Ｓ４０３の処理で特図大当り終了演出中か否かを確認し、大当り終了演出中でなければ（Ｓ４０３：ｎｏ）、Ｓ４０４の処理で大当り開始演出時間が経過したか否かを確認し、大当り開始演出時間の経過を確認すれば（Ｓ４０４：ｙｅｓ）、Ｓ４０５の大入賞口開放処理で第一ラウンドの大入賞口２５を開放して、リターンする。
【００６５】
前記Ｓ４０１の処理で大入賞口開放中であれば（Ｓ４０１：ｙｅｓ）、図１３に示すように、大入賞口２５に入賞があったか否か（規定入賞数）の確認（Ｓ４１０）、又は大入賞口２５の開放時間が終了したか否かを確認して（Ｓ４１１）、いずれか確認できればＳ４１２の処理において大入賞口２５を閉鎖し、Ｓ４１３の処理において大当りインターバル処理を実行して、リターンする。
【００６６】
前記Ｓ４０２の処理で大当りのインターバル中であれば（Ｓ４０２：ｙｅｓ）、図１４に示すように、Ｓ４２０の処理において大当りインターバル時間が経過したか否かを確認し、経過していれば（Ｓ４２０：ｙｅｓ）、Ｓ４２１の処理において最終ラウンド（例えば第一五ラウンド）であるか否かを確認し、最終ラウンドであれば、（Ｓ４２１：ｙｅｓ）、Ｓ４２２の大当り終了演出の処理を実行し、この処理でサブ統合制御装置４２、演出図柄制御装置４３に大当り終了コマンドを送信し、大当り遊技を終了して、リターンする。
一方、最終ラウンドでなければ、（Ｓ４２１：ｎｏ）、Ｓ４２３の大入賞口２５の開放処理により次のラウンドの大入賞口２５の開放を実行して、リターンする。
【００６７】
前記Ｓ４０３の処理で大当り終了演出中であれば（Ｓ４０３：ｙｅｓ）、図１５に示すように、Ｓ４３０の処理において大当り終了演出時間が経過したか否かを確認し、該時間の経過を確認すれば（Ｓ４３０：ｙｅｓ）、Ｓ４３１の役物連続作動装置の作動を停止する処理を実行し、続くＳ４３２の条件装置の作動を停止する処理を実行する。
【００６８】
続く、Ｓ４３３の処理において前記大当り図柄に応じて大当り遊技終了後に確変とする設定があるか否かを確認し、確変の設定があれば（Ｓ４３３：ｙｅｓ）、Ｓ４３４の処理において確変遊技の繰り返し回数（１００回）を設定し、Ｓ４３５の処理において確変フラグに「１」をセットする。これにより大当り遊技終了後に確変遊技が付与される。
次にＳ４３６の処理では前記大当り図柄に応じて時短設定があるか否かを確認し、時短設定があれば（Ｓ４３６：ｙｅｓ）、時短遊技の繰り返し回数（１００回）を設定し（Ｓ４３７）、時短フラグに「１」をセットする（Ｓ４３８）。これにより大当り遊技終了後に開放延長遊技が付与される。その後、特図の大当り終了コマンド送信の処理（Ｓ４３９）を実行し、この処理でサブ統合制御装置４２、演出図柄制御装置４３に大当り終了コマンドを送信し、大当り遊技を終了してリターンする。
【００６９】
大当り遊技終了後、確変遊技状態及び時短遊技状態に移行すると、普電役物の開放延長が機能して第二特図始動口２４への入球が容易になるので、普図の当選による普電役物２３０の開放から第二特図始動口２４を狙い大当り遊技を目指す。
【００７０】
次に前記保留予告演出及び前記保留変化演出に関してサブ統合制御装置４２おいて実施されるプログラム処理について説明する。
図１６に示す「保留標識表示処理」は特許請求の範囲に記載の「保留標識表示制御手段」に相当するもので、第一特図始動口２３又は第二特図始動口２４への入球に起因して記憶された保留記憶に関して、主制御装置４０より先読み信号（前記先読みコマンド１乃至４）を受信することにより、前記保留予告演出として当該保留記憶を示す保留標識の表示形態を設定し、保留標識を演出図柄表示装置２１に表示せしめる処理である。また本処理において、当該保留記憶に関して保留標識の表示形態を変更するか否か、即ち前記保留変化演出を行うか否かの設定、更に保留標識の表示形態を変更する際に保留標識の表示形態として後述の特殊表示形態の表示を行うか否かの設定が行われる。
先ず、Ｓ５００の処理において主制御装置４０より先読み信号（前記先読みコマンド１乃至４等）を受信したか否かを確認する。先読み信号の受信が確認できれば（Ｓ５００：ｙｅｓ）、Ｓ５０１の処理において前記保留変化演出を実施する実施しないに拘わらず最終的に表示される最終保留標識の表示形態を前記先読み信号に応じて選択する。該Ｓ５０１の処理は特許請求の範囲に記載の「変更表示形態決定手段」に相当する。
【００７１】
ここで保留標識の表示形態について説明する。図２２（ｂ），（ｃ）に示すように、保留標識の表示形態（以下、保留表示形態という）として、単に保留記憶が存在することを示す「通常保留表示」と、前記保留予告演出の表示である「特別保留表示１乃至５」の６種類の表示形態を備える。
「通常保留表示」の表示形態は白色円形表示である。特図の当否判定の結果に対する通常保留表示」の出現率は、「ハズレ」時では２００分の２００、「ノーマルリーチ（図では単にリーチと示す）」時では２００分の１５０、「スーパーリーチ（ＳＰリーチ）」時では２００分の１００、「当り」時では２００分の１００とされている。
「特別保留表示１」の表示形態は青色円形表示である。特図の当否判定の結果に対する「特別保留表示１」の出現率は、「ノーマルリーチ」時では２００分の５０、「スーパーリーチ」時及び「当り」時では２００分の２０とされている。また「特別保留表示１」の「期待値」として、保留記憶の当否判定でハズレの場合と大当りとなる場合の比率を示す「当否比率」は「８５対２」とされ、該保留記憶により大当りとなる確率を示す「信頼度」は「２．３％」とされている。
「特別保留表示２」の表示形態は黄色円形表示である。特図の当否判定の結果に対する「特別保留表示２」の出現率は、「スーパーリーチ」時では２００分の４０、「当り」時では２００分の２０とされている。また「特別保留表示２」の「期待値」としての「当否比率」は「１０対１」とされ、「信頼度」は「９．１％」とされている。
「特別保留表示３」の表示形態は緑色円形表示である。特図の当否判定の結果に対する「特別保留表示３」の出現率は、「スーパーリーチ」時及び「当り」時でともに２００分の２０とされている。また「特別保留表示３」の「期待値」としての「当否比率」は「５対１」とされ、「信頼度」は「１６．７％」とされている。
「特別保留表示４」の表示形態は赤色円形表示である。特図の当否判定の結果に対する「特別保留表示２」の出現率は、「スーパーリーチ」時では２００分の２０、「当り」時では２００分の３０とされている。また「特別保留表示４」の「期待値」としての「当否比率」は「１０対３」とされ、「信頼度」は「２３．１％」とされている。
「特別保留表示５」の表示形態は虹色円形表示である。特図の当否判定の結果に対する「特別保留表示５」の出現率は、「当り」時では２００分の１０とされている。また「特別保留表示５」の「期待値」としての「当否比率」は「０対１」とされ、「信頼度」は「１００％」とされている。
尚、保留表示形態は、表示色での区別に限らず、形、文字、記号、動物や人物などのキャラクタ等の表示形態で区別するようにしてもよい。
【００７２】
前記図１６に戻って、続くＳ５０２の処理において前記保留変化演出を行うことにより最終的に表示する保留標識の表示形態（以下、最終保留表示形態という）を変更するか否かを確認する。即ち、保留記憶の発生に起因して最初に表示する保留表示形態に対して最終保留表示形態が変更される演出を行うか否かを確認することである。例えば、最終保留表示形態を変更するか否かは、前記Ｓ５０１で決定された最終保留表示形態の種類と、先読み信号受信時にサブ統合制御装置４２にて抽出された乱数値による抽選等で決めることが望ましい。
最終保留表示形態を変更するのであれば（Ｓ５０２：ｙｅｓ）、Ｓ５０３の処理において前記保留変化演出の変化回数として保留表示形態を２回変更させるか否かを確認する。尚、保留表示形態の変更は１回乃至２回の変更が可能で、変化回数には後述の特殊表示形態への変更は含めない。
保留表示形態の変更が１回の場合は（Ｓ５０３：ｎｏ）、Ｓ５０４の処理において最初に表示する保留標識の一次保留表示形態が選択される。この場合、一次保留表示形態は、最終保留表示形態よりも信頼度が低い保留表示形態が選択される。
【００７３】
前記Ｓ５０３の処理で保留表示形態を２回変更する場合には（Ｓ５０３：ｙｅｓ）、Ｓ５０５の処理において前記Ｓ５０４と同様に一次保留表示形態が選択され、続くＳ５０６の処理において１回目の変更後に表示する保留標識の二次保留表示形態が選択される。この場合、一次保留表示形態は、二次保留表示形態よりも信頼度が低い保留表示形態が選択され、二次保留表示形態は、最終保留表示形態よりも信頼度の低い保留表示形態が選択される。
【００７４】
その後、Ｓ５０７の処理において保留表示形態を変更する際に特別演出として保留標識の特殊表示形態の表示を行うか否かの決定及び特殊表示形態の表示を行う場合にはその表示形態と表示時期が決定される。例えば、特殊表示形態の表示時期は、当否判定による保留記憶の消化に伴い新たに特図の変動が開始され、保留標識が減少し繰り上げ移動されるときが好適で、本処理ではいつの特図の変動開始時に特殊表示形態を表示するか決める。
【００７５】
前記特別演出の特殊表示形態について説明する。特殊表示形態は保留表示形態を変更するときに表示可能とされるものであり、変更した後に表示される可能性がある保留表示形態を示唆するものである。例えば、特殊表示形態としては、変更後に表示される保留表示形態の要素（本実施形態では表示色）を含む複数の保留表示形態の要素（表示色）を組み合わせてひとつの保留表示形態とすることが望ましい。具体的には図２３に示すように、変更後に青色円形表示の「特別保留表示１」又は黄色円形表示の「特別保留表示２」となる可能性がある場合は、ひとつの円形表示を左右に２分するとともに、分割部位を青色表示及び黄色表示する。
【００７６】
本実施形態では、特殊表示形態として、変更後に前記青色の「特別保留表示１」又は前記黄色の「特別保留表示２」が表示される可能性がある「青黄色特殊表示形態」、変更後に前記青色の「特別保留表示１」又は前記緑色の「特別保留表示３」が表示される可能性がある「青緑色特殊表示形態」、変更後に前記青色の「特別保留表示１」又は前記赤色の「特別保留表示４」が表示される可能性がある「青赤色特殊表示形態」、変更後に前記黄色の「特別保留表示２」又は前記緑色の「特別保留表示３」が表示される可能性がある「黄緑色特殊表示形態」、変更後に前記黄色の「特別保留表示２」又は前記赤色の「特別保留表示４」が表示される可能性がある「黄赤色特殊表示形態」、及び変更後に前記赤色の「特別保留表示４」又は前記虹色の「特別保留表示５」が表示される可能性がある「赤虹色特殊表示形態」の６種類が設けられている。
尚、これらに限らず、特殊表示形態として、変更後に前記白色の「通常保留表示」又は前記青色の「特別保留表示１」が表示される可能性がある「白青色特殊表示形態」など、「通常保留表示」を含めた特殊表示形態を設けてもよい。またひとつの円形表示を３分割又は４分割するとともに、分割部位を「通常保留表示」、「特別保留表示１乃至５」に対応する異なる色で表示するようにしてもよい。
【００７７】
図１６に戻って、Ｓ５０８の処理において前記特殊表示形態の表示時期であるか否かを確認し、表示時期でなければ（Ｓ５０８：ｎｏ）、Ｓ５０９の処理において保留標識として演出図柄表示装置２１に、前記Ｓ５０４又はＳ５０５の処理で決定された一次保留表示形態を表示させる処理を行う。その後、リターンする。
一方、特殊表示形態の表示時期であれば（Ｓ５０８：ｙｅｓ）、Ｓ５１０の処理において保留標識として演出図柄表示装置２１に、前記Ｓ５０７の処理で決定された特殊表示形態を表示させる処理を行う。その後、リターンする。
【００７８】
前記Ｓ５０２の処理において、最終保留表示形態を変更しない場合（Ｓ５０２：ｎｏ）、図１７に示すように、Ｓ５２０の処理において保留標識の前記特殊表示形態の表示を実行するか否かの抽選を行う。続くＳ５２１の処理において前記抽選の結果が特殊表示形態を表示するものであるか否かを確認する。特殊表示形態を表示する場合（Ｓ５２１：ｙｅｓ）、Ｓ５２２の処理において表示される特殊表示形態が決定され、Ｓ５２３の処理において特殊表示形態の表示時期が決定される。
【００７９】
続くＳ５２４の処理において特殊表示形態の表示時期であるか否かを確認し、表示時期であれば（Ｓ５２４：ｙｅｓ）、Ｓ５２５の処理において保留標識として演出図柄表示装置２１に、前記Ｓ５２２の処理で決定された特殊表示形態を表示させる処理を行う。その後、リターンする。尚、前記Ｓ５１０及びＳ５２５の処理は、特許請求の範囲に記載の変更後に表示される保留標識の表示形態を、変更が行われる前に示唆可能な「表示形態示唆手段」に相当する。
前記Ｓ５２２乃至Ｓ５２４の処理は、所謂「ガセの保留変化演出」のための処理であり、前記Ｓ５２５の処理で特殊表示形態が表示されても、保留表示形態は変更されない。
【００８０】
前記Ｓ５２１の処理で特殊表示形態を表示しない場合（Ｓ５２１：ｎｏ）、又は前記Ｓ５２４の処理で特殊表示形態の表示時期でない場合（Ｓ５２４：ｎｏ）、Ｓ５２６の処理において保留標識として演出図柄表示装置２１に、前記Ｓ５０１の処理で決定された最終保留表示形態を表示させる処理を行う。その後、リターンする。
【００８１】
このように本実施形態の保留予告演出及び保留変化演出では、第一特図始動口２３又は第二特図始動口２４への入球に起因して保留標識が表示される際に、最初に一次保留表示形態が表示されるパターン、最初から特殊表示形態が表示されるパターン及び保留変化演出が実施されず最初から最終保留表示形態が表示されるパターンの実施が可能である。また保留変化演出を行わない場合、最終保留表示形態として前記「通常保留表示」が選択された時は当該保留記憶に関しては保留予告演出も実施されない。
【００８２】
図１８乃至図２１に示す「第一保留標識更新処理」、「第二保留標識更新処理」及び「第三保留標識更新処理」はサブ統合制御装置４２で実行され、保留標識の減少、繰り上げ移動、保留表示形態の変更を行う処理である。尚、保留表示形態の変更は、特殊表示形態が表示され、その表示中（実行中）における遊技者による演出ボタン１５等の操作手段の操作の有無に応じた保留表示形態の変更と、保留標識の減少、繰上げ移動に応じた保留表示形態の変更とが可能な構成である。
図１８に示す「第一保留標識更新処理」は、先ず、Ｓ６００の処理において主制御装置４０からの保留記憶の減少を示す前記保留情報を受信したか否かを確認する。保留情報の受信を確認すると（Ｓ６００：ｙｅｓ）、Ｓ６００の処理において保留標識を減少し、繰上げ移動させる。
【００８３】
次にＳ６０２の処理において特殊表示形態の表示時期であるか否かを確認し、表示時期であれば（Ｓ６０２：ｙｅｓ）、Ｓ６０３の処理において対象の保留標識を特別演出である特殊表示形態に変更する。
一方、特殊表示形態の表示時期でなければ（Ｓ６０２：ｎｏ）、Ｓ６０４の処理において特殊表示形態が表示中であるか否かを確認する。
【００８４】
前記Ｓ６０３の処理の実行後、又は前記Ｓ６０４で特殊表示形態が表示中であれば（Ｓ６０４：ｙｅｓ）、Ｓ６０５の処理において遊技者が前記演出ボタン１５などの操作手段の操作を行うことで保留表示形態を変更可能な保留変化用有効期間の開始処理を行い、Ｓ６０６の処理において遊技者に前記操作手段の操作させることにより保留表示形態の変更を促す操作指示表示を行う。その後、リターンする。該Ｓ６０６の処理は特許請求の範囲に記載の「操作指示演出実行手段」に相当する。尚、前記保留変化用有効期は特殊表示形態の表示開始から約「５秒」とすることが望ましい。
【００８５】
前記Ｓ６０４の処理で特殊表示形態が表示中でなければ（Ｓ６０４：ｎｏ）、図１９に示すように、Ｓ６１０の処理において保留表示形態を変更するか否かを確認し、変更するのであれば（Ｓ６１０：ｙｅｓ）、Ｓ６１１の処理において最終保留表示形態へ変更するか否かを確認する。最終保留表示形態に変更しない場合（Ｓ６１１：ｎｏ）、Ｓ６１２の処理において保留標識を前記二次保留表示形態に変更する。その後、リターンする。
一方、最終保留表示形態に変更する場合（Ｓ６１１：ｙｅｓ）、Ｓ６１３の処理において保留標識を最終保留表示形態に変更する。その後、リターンする。
【００８６】
図２０に示す「第二保留標識更新処理」は、Ｓ７００の処理において前記保留変化用の有効期間中であるか否かを確認し、有効期間中であれば（Ｓ７００：ｙｅｓ）、Ｓ７０１の処理において遊技者による演出ボタン１５（操作手段）の操作が行われた否かを確認する。遊技者による操作があれば（Ｓ７０１：ｙｅｓ）、Ｓ７０２の処理において特殊表示形態を２次保留表示形態又は最終保留表示形態に変更する。尚、前記「ガセの保留変化演出」の場合、Ｓ７０２の処理で、特殊表示形態が表示される前の表示形態（最終保留表示形態）に戻ることとなる。続くＳ７０３の処理において前記保留変化用の有効期間を終了させ、更にＳ７０４の処理において前記操作指示表示を終了させる。
【００８７】
図２１に示す「第三保留標識更新処理」は、Ｓ８００の処理において前記保留変化用の有効期間の終了時期（特殊表示形態の表示開始から約５秒経過）であるか否かを確認し、終了時期であれば（Ｓ８００：ｙｅｓ）、Ｓ８０１の処理において前記保留変化用の有効期間を終了させ、更にＳ８０２の処理において前記操作指示表示を終了させる。
次にＳ８０３の処理において、前記操作指示の実行中に、遊技者による操作手段の操作が行われず、特殊表示形態の最大表示期間が終了したか否かを確認し、期間の終了であれば（Ｓ８０３：ｙｅｓ）、Ｓ８０４の処理において保留標識を特殊表示形態からこれが示唆する表示形態のうちの期待度の低い保留表示形態へ変更する。その後、リターンする。該Ｓ８０４の処理は特許請求の範囲に記載の「操作無表示形態表示手段」に相当する。
【００８８】
これによれば、前記有効期間に遊技者の操作手段の操作がなければ、前記「青黄色特殊表示形態」、前記「青緑色特殊表示形態」及び前記「青赤色特殊表示形態」では前記青色の「特別保留表示１」に変更され、前記「黄緑色特殊表示形態」及び前記「黄赤色特殊表示形態」では前記黄色の「特別保留表示２」に変更され、前記「赤虹色特殊表示形態」では前記赤色の「特別保留表示４」に変更される。つまり、前記Ｓ５０１の処理で決定された最終保留表示形態とは異なる表示形態であり、且つ最終表示形態よりも信頼度が低い表示形態が最終保留表示形態として表示される場合がある。
尚、前記Ｓ８０３の特殊表示形態の最大表示期間終了後に、保留標識を特殊表示形態から期待度の低い保留表示形態へ変更するようにしたので、操作手段（演出ボタン１５）により保留表示形態を変更するための操作を複数の変動を跨いで可能である。
【００８９】
図２４乃至図２６に基づいて、本パチンコ機１の演出図柄表示装置２１で実施される保留予告演出及び保留変化演出の代表例を説明する。
図２４は第一の具体例を示し、図２４（ａ）に示すように、特図の当否判定に伴い、演出図柄表示装置２１の表示画面には、画面上半部に特図に対応する３桁の数字からなる擬似演出図柄７００が変動表示され、画面下端部の左寄りには保留記憶の存在及びその記憶数を示す複数の保留標識７１１，７１２，７１３が表示される。図例では保留記憶が３つあり、何れの保留標識７１１，７１２，７１３も白色円形の前記「通常保留表示」とされ、保留予告演出は行われていない。
【００９０】
図２４（ｂ）に示すように、図柄変動中に、第一特図始動口２３又は第二特図始動口２４への入球に起因して新たに保留記憶が発生すると、先行保留記憶に対応する保留標識７１１，７１２，７１３に続いて、新たな保留記憶に対応する保留標識７１４が追加表示される。この場合、新たな保留標識７１４は、最初に表示される前記一次保留表示形態として「通常保留表示」が選択されている。
【００９１】
その後、図２４（ｃ）、（ｄ）に示すように、図柄変動が終了して擬似演出図柄７００がハズレ図柄にて確定表示された後に、次の最も古い保留記憶を対象とする当否判定の実施に伴い図柄変動が開始されると、最も古い保留記憶が消化されて保留標識が減らされ、繰り上げられた保留標識７１２，７１３，７１４の表示が残る。図例では、このとき最も新しい保留記憶に対応する保留標識７１４は、前記二次保留表示形態として選択された前記「特別保留表示１」に変更され（保留変化演出）、大当りとなるか否かの信頼度が示される保留予告演出が行われる。
【００９２】
更に遊技が進行して図２４（ｅ）、（ｆ）に示すように、擬似演出図柄７００がハズレ図柄にて確定表示された後に、最も古い保留記憶を対象とする当否判定に伴う図柄変動が開始されると、最も古い保留記憶が消化されて保留標識が減らされ、繰り上げられた保留標識７１３，７１４が残る。このとき最も新しい保留記憶に対応する保留標識７１４は、前記特別演出により特殊表示形態（青黄色特殊表示形態）に変更され、これに伴い、表示画面の右下端部には遊技者に演出ボタン１５（操作手段）の操作を促す操作指示７３０が表示される。保留標識７１４の特殊表示形態により次に変更表示される保留標識は青色の前記「特別保留表示１」又は黄色の前記「特別保留表示２」の何れかとなることが示唆される。
【００９３】
前記操作指示７３０は特殊指示表示形態として、操作手段である演出ボタンを示す表示と、これを「押せ」というコメント表示と、更に演出ボタンを示す表示に前記特殊表示形態と組み合わせた表示形態とすることが望ましい。更にこの場合、図２７に示すように、実際の演出ボタン１５の円形表示部において、前記特殊表示形態（図例では、青黄色特殊表示形態）を表示させることが望ましい。
【００９４】
その後、操作指示７３０の実行中に、遊技者により演出ボタン１５の操作が行われると、これに応じて最も新しい保留記憶に対応する保留標識７１４を、図２４（ｇ）に示すように前記最終保留表示形態として設定された前記「特別保留表示２」に変更、又は図２４（ｈ）に示すように前記最終保留表示形態として設定された前記「特別保留表示１」に変更される。
【００９５】
一方、遊技者による操作手段の操作がなければ、図２４（ｈ）に示すように、保留標識７１４が、特殊表示形態で示された表示可能な表示形態のうちの信頼度の低い表示形態である「特別保留表示１」へと変更される。
【００９６】
前記第一の具体例では、新たな保留記憶に発生に応じて表示する最初の保留標識７１４の表示形態（一次保留表示形態）を「通常保留表示」としたが、これに限らず大当りとなるか否かの信頼度が示された「特別保留表示」とし、最初から保留予告演出を行うようにしてもよい。
また前記第一の具体例では、保留標識を、前記一次保留表示形態から前記二次保留表示形態へ変更し、二次保留表示形態から特殊表示形態を経て最終保留表示形態へ変更する演出パターンである。このように、保留標識の保留表示形態の変更が行われる場合に、毎回、特殊表示形態への変更を行う必要はなく、所定の確率（割合）で実行することが望ましい。
また、他の演出パターンとして、前記二次保留表示形態への変更を行わず、保留標識を一次保留表示形態から特殊表示形態を経て最終保留表示形態へ変更するパターンとしてもよい。
【００９７】
図２５に基づいて第二の具体例を説明する。第二具体例では、一次保留表示形態から二次保留表示形態への変更時に前記特別演出を行うようにしたものである。図２５（ａ）、（ｂ）に示すように、図柄変動中に、新たに保留記憶が発生すると、先行保留記憶に対応する保留標識７１１，７１２，７１３に続いて、新たな保留記憶に対応する保留標識７１４が追加表示される。この場合、新たな保留標識７１４は、前記一次保留表示形態として前記「通常保留表示」が選択されている。
【００９８】
その後、図２５（ｃ）、（ｄ）に示すように、擬似演出図柄７００がハズレ図柄にて確定表示された後に、最も古い保留記憶を対象とする当否判定に伴い図柄変動が開始されると、最も古い保留記憶が消化されて保留標識が減らされ、繰り上げられた保留標識７１２，７１３，７１４の表示が残る。このとき最も新しい保留記憶に対応する保留標識７１４は前記特殊表示形態（黄緑色特殊表示形態）に変更され、これに伴い、表示画面の右下端部には操作指示７３０が表示される。これにより次に変更表示される保留標識は黄色の前記「特別保留表示２」又は緑色の前記「特別保留表示３」の何れがとなることが示唆される。
【００９９】
その後、遊技者により演出ボタン１５の操作が行われると、図２５（ｅ）に示すように、最も新しい保留記憶に対応する保留標識７１４が、前記二次保留表示形態として選択された前記「特別保留表示３」に変更される。
【０１００】
更に、図２５（ｆ）、（ｇ）に示すように、擬似演出図柄７００がハズレ図柄にて確定表示された後に、最も古い保留記憶を対象とする当否判定の実施に伴い図柄変動が開始されると、最も古い保留記憶が消化されて保留標識が減らされ、繰り上げられた保留標識７１３，７１４の表示が残る。このとき最も新しい保留記憶に対応する保留標識７１４は前記最終保留表示形態として設定された前記「特別保留表示４」に変更される。
即ち、第二の具体例では、保留標識を、一次保留表示形態から特殊表示形態を経て二次保留表示形態へ変更し、更に二次保留表示形態から最終保留表示形態へ変更する演出パターンである。
尚、図例では、遊技者により演出ボタン１５の操作が行われて図２５（ｅ）、（ｆ）において、最も新しい保留記憶に対応する保留標識７１４は緑色の「特別保留表示３」に変更されているが、操作が行われなければ、最も新しい保留記憶に対応する保留標識は信頼度の低い黄色の「特別保留表示２」へ変更される。
【０１０１】
次に図２６に基づいて第三の具体例を説明する。第三の具体例では、図柄変動中に新たに発生した保留記憶に対応する保留標識を特殊表示形態で表示するようになし、且つ操作手段（演出ボタン１５）により保留表示形態を変更するための操作を複数の図柄変動を跨いで可能としたものである。
図２６（ａ）に示すように、図柄変動中に新たに保留記憶が発生すると、先行保留記憶に対応する保留標識７１１，７１２に続いて、新たな保留記憶に対応するものとして特殊表示形態（黄赤色特殊表示形態）からなる保留標識７１３が追加表示される。
【０１０２】
その後、図２６（ｂ）、（ｃ）に示すように、擬似演出図柄７００がハズレ図柄にて確定表示された後に、最も古い保留記憶を対象とする当否判定に伴い図柄変動が開始されると、最も古い保留記憶が消化されて保留標識が減らされ、繰り上げられた保留標識７１２，７１３の表示が残る。尚、最も新しい保留記憶に対応する保留標識７１３は特殊表示形態が維持される。そしてこの繰り上げ移動に伴い、表示画面の右下端部には遊技者に演出ボタン１５（操作手段）の操作を促す操作指示７３０が表示される。更に該操作指示７３０の表示開始から操作手段の操作の有効期間が開始される。有効期間は約５秒とされる。
【０１０３】
遊技者により操作手段の操作が行われず前記有効期間が終了しても、図２６（ｄ）に示すように、保留標識７１３は特殊表示形態が維持される。
擬似演出図柄７００がハズレ図柄にて確定表示された後に、図２６（ｅ）に示すように、最も古い保留記憶を対象とする当否判定の実施に伴って図柄変動が開始されると、最も古い保留記憶が消化されて標識が減らされ、繰り上げられた保留標識７１３の表示が特殊表示形態のままで残り、且つ（操作手段）の操作を促す操作指示７３０が表示され、再度、該操作指示７３０の表示開始から操作手段の操作の有効期間が開始される。
【０１０４】
その後、遊技者による操作手段の操作がなければ、図２６（ｆ）に示すように、保留標識７１４が前記特殊表示形態で示された表示可能な表示形態のうちの信頼度の低い表示形態である「特別保留表示２」に変更される。
一方、遊技者により演出ボタン１５の操作が行われると、これに応じて最も新しい保留記憶に対応する保留標識７１４が又は図略の「特別保留表示４」へ変更、又は「特別保留表示２」へ変更（図２６（ｆ））される。
【０１０５】
本実施形態のパチンコ機によれば、特殊表示形態の特別演出により、保留標識の保留表示形態が、大当りとなるか否かの信頼度が異なる保留表示形態に変更される前に、どのような保留表示形態に変更する可能性があるかを示唆されるので、遊技者に特別演出が行われた際に信頼度が異なる保留表示形態に変更されるのではないかと、特別演出が行われないときよりも大きな期待感を抱かせることができる。また、変化する可能性がある保留表示形態を把握することができるので、遊技者に大小様々な期待感を抱かせることができる。よって保留変化演出の面白みを十分に活かすことができ、遊技者の大当り獲得への期待感を高め、遊技の興趣を豊かにできる。
【０１０６】
また保留標識の保留表示形態を特殊表示形態に変更するようにして、保留標識自体で変化する可能性がある保留表示形態を示唆するようにしたので、遊技者に保留標識の表示形態が変化すると判断させ、期待感をより高めることができる。
更に、演出ボタン１５などの操作手段の操作に起因して保留標識の保留表示形態の変化を可能にしたので、遊技者に自分の力で保留標識の保留表示形態を変化させたと実感させることができ、遊技の面白味が増す。
【０１０７】
更にまた、遊技者に演出ボタン１５（操作手段）の操作を促す操作指示７３０より、保留標識の保留表示形態が何れの表示形態に変化するかの示唆を行うようにしたので、遊技者は保留表示形態の変化を把握することができる。
操作指示７３０が行われているにも拘わらず遊技者が操作手段を操作しなかった場合には、大当りとなるか否かの信頼度が低い保留標識が表示されるので、信頼度の高い保留標識を目指して遊技者が積極的に操作手段を操作するように仕向けることができる。
【０１０８】
本発明は前記実施形態に限定されるものではなく、本発明の要旨を逸脱しない範囲でさまざまに実施できることは勿論である。例えば、変更後に表示される保留標識の表示形態を示唆する特別演出を、保留標識の表示形態(特殊表示形態)と、操作手段の操作を促す操作指示演出（特殊指示表示形態）との双方で行う構成にしたが、いずれか一方のみで行う構成でもよい（例えば、操作指示演出のみ）。
また演出図柄表示装置の表示に限らず、演出図柄表示装置の周辺に設けられたＬＥＤ表示にて保留標識を示し、保留標識の表示形態の変更、特殊表示形態の表示を行う構成でもよい。この場合、操作指示、特殊指示表示形態の表示は演出ボタン１５にて行うことが望ましい。
更に保留変化演出は、保留表示形態の変更により大当りとなる信頼度の高い保留表示形態に変更するようにして遊技者の期待感を高めることが望ましいが、これに限らず、変更により信頼度の低い保留表示形態へ変更する、又は通常の保留標識へ変更して保留予告演出を終了するようにしてもよく、遊技演出の面白味を増すことができる。
また本発明は、パチンコ機台内に所定数の遊技球が封入され、封入された遊技球を遊技盤の遊技領域に向けて発射するとともに、発射された遊技球を回収し、回収した遊技球を再度発射することで内部の所定数の遊技球を循環的に使用して遊技を行う封入式パチンコ機に適用してもよい。
【符号の説明】
【０１０９】
１  パチンコ機（弾球遊技機）
１５  演出ボタン（操作手段）
２  遊技盤
２０  遊技領域
２１  演出図柄表示装置
２２  普図作動ゲート
２３  第一特図始動口（始動口）
２４  第二特図始動口（始動口）
２５  大入賞口
４０  主制御装置（数値データ抽出手段、保留記憶手段、当否判定手段、数値データ確認手段、大当り遊技実行手段）
４２  サブ統合制御装置（サブ制御装置、保留標識表示制御手段、変更表示形態決定手段、表示形態示唆手段、操作指示演出実行手段、操作無表示形態表示手段）
【図１】
2017047200.tif 000003
【図２】
2017047200.tif 000004
【図３】
2017047200.tif 000005
【図４】
2017047200.tif 000006
【図５】
2017047200.tif 000007
【図６】
2017047200.tif 000008
【図７】
2017047200.tif 000009
【図８】
2017047200.tif 000010
【図９】
2017047200.tif 000011
【図１０】
2017047200.tif 000012
【図１１】
2017047200.tif 000013
【図１２】
2017047200.tif 000014
【図１３】
2017047200.tif 000015
【図１４】
2017047200.tif 000016
【図１５】
2017047200.tif 000017
【図１６】
2017047200.tif 000018
【図１７】
2017047200.tif 000019
【図１８】
2017047200.tif 000020
【図１９】
2017047200.tif 000021
【図２０】
2017047200.tif 000022
【図２１】
2017047200.tif 000023
【図２２】
2017047200.tif 000024
【図２３】
2017047200.tif 000025
【図２４】
2017047200.tif 000026
【図２５】
2017047200.tif 000027
【図２６】
2017047200.tif 000028
【図２７】
2017047200.tif 000029